(57)【要約】      （修正有）【課題】クーポン券を利用しやすくしたクーポン券付卓上カレンダーを提供する。【解決手段】長方形の用紙１２の一横側端の一部に横方向に縦方向の隣接部分と切り離して横方向に突出できるように差し込み片１６が形成されている。用紙１２の反対の横側端近傍にはスリット２２が設けられ、前記差し込み片が差し込まれる。前記用紙の表面側であって、前記差し込み片と前記スリットの間の領域にカレンダーが印刷され、用紙１２の裏面側に注文メニューが印刷されている。そして、差し込み片１６に縦方向に隣接してクーポン券２４が設けられている。クーポン券２４を差し込み片１６と切り離し、差し込み片１６をスリット２２に差し込むことで、用紙１２の表面を外側として中空筒型にして卓上に載置して利用可能である。また、クーポン券２４を切り離して分離して利用可能である。【選択図】図２
0003158674.tif 000002
【実用新案登録請求の範囲】
【請求項１】
長方形の用紙の一横側端の一部に縦方向の隣接部分と切り離して横方向に突出できるように形成された差し込み片と、
前記用紙の反対の横側端近傍に形成され、前記差し込み片が差し込まれるスリットと、
用紙の表面側であって、前記差し込み片と前記スリットの間の領域に印刷されたカレンダーと、
前記用紙の裏面側に印刷された注文メニューと、
前記用紙の前記一横側端の前記差し込み片に縦方向に隣接して設けられたクーポン券と、
を有し、
前記クーポン券を前記差し込み片と切り離し、前記差し込み片を前記スリットに差し込むことで、前記用紙の表面を外側として中空筒型にして卓上に載置して利用可能であるとともに、前記クーポン券を切り離して分離しても利用可能であることを特徴とする卓上カレンダー。
【請求項２】
請求項１に記載の卓上カレンダーであって、
前記差し込み片は、縦方向の中央部分に設けられ、前記クーポン券は、前記差し込み片の上下に設けられていることを特徴とする卓上カレンダー。
【請求項３】
請求項１または２に記載の卓上カレンダーであって、
前記差し込み片と、前記クーポン券の隣接部分には切り離し用のミシン目が形成されていることを特徴とする卓上カレンダー。
【請求項４】
請求項１〜３に記載の卓上カレンダーであって、
前記クーポン券とその内側の領域の間に、クーポン券切り離し用のミシン目が形成されていることを特徴とする卓上カレンダー。
【考案の詳細な説明】
【技術分野】
【０００１】
本考案は、メニュー、クーポン券付の卓上カレンダーに関する。
【背景技術】
【０００２】
カレンダーには、各種のものがあり、用紙を折り曲げて組み立てるようにした紙製の卓上カレンダーも提案されている（特許文献１参照）。また、カレンダーに広告をいれることは広く行われており、注文用メニューや、クーポン券をカレンダーの余白に印刷することも提案されている（特許文献２参照）。
【先行技術文献】
【特許文献】
【０００３】
【特許文献１】特開２００７−１６８２０７号公報
【特許文献２】特開２００５−３１９７１９号公報
【特許文献３】特開２００５−１１１８７１号公報
【考案の概要】
【考案が解決しようとする課題】
【０００４】
ここで、クーポン券は切り離して使うことが多いため、印刷する部分が限られてしまい、また切り離すとその部分が見苦しくなってしまう。また、特許文献３では、すでに過ぎてしまい不要になったカレンダー部分の裏面などクーポン券として利用するが、期間が過ぎるまでは、当該クーポン券の利用ができない。
【課題を解決するための手段】
【０００５】
本考案は、長方形の用紙の一横側端の一部に横方向に縦方向の隣接部分と切り離して横方向に突出できるように形成された差し込み片と、前記用紙の反対の横側端近傍に設けられ、前記差し込み片が差し込まれるスリットと、前記用紙の表面側であって、前記差し込み片と前記スリットの間の領域に印刷されたカレンダーと、前記用紙の裏面側に印刷された注文メニューと、前記用紙の前記一横側端の前記差し込み片に縦方向に隣接して設けられたクーポン券と、を有し、前記クーポン券を前記差し込み片と切り離し、前記差し込み片を前記スリットに差し込むことで、前記用紙の表面を外側として中空筒型にして卓上に載置して利用可能であるとともに、前記クーポン券を切り離して分離しても利用可能であることを特徴とする。
【０００６】
また、前記差し込み片は、縦方向の中央部分に設けられ、前記クーポン券は、前記差し込み片の上下に設けられていることが好適である。
【０００７】
また、前記差し込み片と、前記クーポン券の隣接部分には切り離し用のミシン目が形成されていることが好適である。
【０００８】
前記クーポン券とその内側の領域の間に、クーポン券切り離し用のミシン目が形成されていることを特徴とする卓上カレンダー。
【考案の効果】
【０００９】
本考案によれば、差し込み片の隣接部分をクーポン券にしているため、必要なときにいつでも切り離して利用することができる。
【図面の簡単な説明】
【００１０】
【図１】組立後の卓上カレンダーの状態を示す図である。
【図２】組立前の用紙の表面側を示す図である。
【図３】組立前の用紙の裏面側を示す図である。
【図４】組立前の用紙の他の例の表面側を示す図である。
【考案を実施するための形態】
【００１１】
以下、本考案の実施形態について、図面に基づいて説明する。
【００１２】
図１は、実施形態に係る卓上カレンダーの組立後の状態を示す図である。この例では、卓上カレンダー１０は、長方形の用紙１２を折り曲げて形成され、全体として、中空の三角柱状（三角筒状）である。従って、テープルなどの上に載置することで、下端の三角形がテーブル上に位置して自立することができる。そして、三角柱の少なくとも１表面にカレンダーを印刷しておくことによって、カレンダーとして機能する。また、用紙１２の横方向の一端側は、所定幅の折り曲げ部１４が折り曲げられ、三角柱の内側に位置している。また、用紙１２の横方向の他端側には、差し込み片１６が形成され、これが一端側に設けられたスリットに挿入されている。
【００１３】
図２には、組立前の表面側を示してある。用紙１２の左側の所定幅の部分が折り曲げ部１４となっている。この例では、折り曲げ部１４とその内側の表示領域１８との境界には、この部分で折り曲げやすいように一旦折り曲げておくなどの方法により折り曲げ線２０が形成されている。折り曲げ部１６の幅は人が折り曲げ易い範囲で小さい方がよく、これによって表示領域１８を大きくとれる。また、この折り曲げ線２０の中央部分には、スリット２２が形成されている。
【００１４】
用紙１２の右側には、上下方向の中央付近に差し込み片１６が形成されている。この例では、右方向に向けて小さくなる台形状である。この差し込み片の横方向の幅は、人が折り曲げ易い範囲で小さくしてあり、折り曲げ部１６の幅とほぼ同じになっているが、必ずしも同じである必要はない。
【００１５】
そして、差し込み片１６の上下には、クーポン券２４が設けられている。クーポン券２４と差し込み片の境界には、ミシン目２６が形成され、人によって容易に切り離せるようになっている。ミシン目２６に代え、切り込みを形成し、両者を予め切り離しておくことも好適である。
【００１６】
差し込み片１６は、クーポン券を切り離した状態で、スリット２２に差し込まれる。これによって、図１のように全体として三角粒状になる。この際、折り曲げ部１４およびクーポン券２４は予め三角柱の内側に位置するように折り曲げておくことが好適である。また、差し込み片１６の基部（用紙１２の内側端）の縦方向の大きさをスリット２２と同じまたは少し小さめにしておくことで、差し込み片１６を確実のスリット２２内に挿入することができる。さらに、差し込み片１６の基部には、折り曲げ易いように、折り曲げ線を形成しておくことが好適である。
【００１７】
またクーポン券２４の横方向の幅は、差し込み部１６の幅と同一にしてあり、用紙１２の内側の表示領域との境界には、ミシン目２８が形成されている。従って、ユーザがミシン目２８を利用してクーポン券２４を容易に切り離すことができる。必要なときに切り離すため、切り込みではなくミシン目２８が好適であるが、一部キズを付けておくなどの手法を採用してもよい。
【００１８】
表示領域１８は、折り曲げられて３つの領域１８Ａ、１８Ｂ、１８Ｃに分割されている。この例では、領域１８Ａには、店の紹介、領域１８Ｂに３ヶ月分のカレンダー、領域１８Ｃに絵、写真、話などのコンテンツが印刷されている。コンテンツの内容はどのようなものでもよいが、写真や、絵など何度見ても飽きないようなものを含むことが好適である。
【００１９】
図３には、裏面側が示されている。このように、裏面側には、店のメニューが表示されている。
【００２０】
店の紹介には、商品や店の写真などとともに、店名、電話番号などが記載される。また、裏面のメニューには、注文できる商品についての写真、値段など記載される。クーポン券２４には、クーポン券の内容や、有効期限などが記載される。
【００２１】
カレンダーは、３ヶ月分としたが、１ヶ月分や半年分などでもよい。３ヶ月分であれば、３ヶ月に１回配ることも考えられるが、１ヶ月分ずつずらしたものを毎月配ったり、２ヶ月に１回配ることも好適である。注文の際は、メニューを見て電話を掛ける場合が多いと考えられ、注文用の電話番号なども裏面に記載しておくことも好適である。また、二次元バーコード（例えば、ＱＲコード）などを印刷し、これを携帯電話などで読み取り、特定のサイトへアクセスすることで、電子的なクーポン券を得られるようにしてもよい。さらに、二次元バーコードにより、インターネットを介しての商品の注文サイトや、近くにある店舗の検索サイト、その他関連情報サイトのウェブアドレスを取得可能とすることも好適である。
【００２２】
用紙１２の表面または裏面の一部には、店または店の関連企業または関連しない団体など社会貢献活動の記事などを掲載することも好適であり、このような記載によってユーザに社会貢献活動についてのお知らせができる。例えば、企業が食糧自給率向上に向けた運動に協賛していること、国連を通じて難民援助活動に協力していることなどを告知する記載などが挙げられる。
【００２３】
なお、本実施形態は、ピザ、寿司、そばなどの出前の注文に好適であるが、その他の通信販売などにも利用できる。その場合、どのようにして、注文して、商品を受け取り、また支払いできるかという商品注文に際し必要な情報が記載されてもよい。さらに、注文承り期間、商品名、冷蔵冷凍有無、商品概要、商品番号、税込み価格、配送地域などが記載される。
【００２４】
本実施形態では、三角柱としたが、その他の多角柱でもよく、また円柱でもよい。円柱の場合には、折り曲げる必要が無くなる。
【００２５】
差し込み部１６、スリット２２は、用紙１２の縦方向中央付近に１カ所設けることが好適であるが、複数設けてもよく、中央部分でなくてもよい。
【００２６】
また、差し込み片１６は、台形状でなく、四角でも、楕円でもよい。
【００２７】
図４には、他の実施形態が記載されており、折り曲げ部１４にもクーポン券２４が形成されている。折り曲げ部１４は、スリット２２を形成するために必須のものであり、スリット２２の周囲を除けば、なくてもよい。そこで、その部分をクーポン券２４にしている。この例では、スリット２２の位置の上下２個のクーポン券２４が形成されている。クーポン券２４は、上述の場合と同様にミシン目などによって用紙１２から切り離し可能になっている。
【００２８】
なお、クーポン券２４は、はさみなどによってユーザが切り離してもよく、その場合には単なる切り取り線の印刷がなされる。また、差し込み部１６とクーポン券２４の境界も切り取り線でもよい。
【００２９】
また、本実施形態の卓上カレンダーは、中空であり、テーブル等の載置した場合に、上方から裏面側の一部が見える。そこで、上端付近において、表面側と裏面側に連続する印刷をすることもできる。例えば、図形や文字の一部を表面側に印刷し、ユーザが所定の位置から見た場合に見えそうな裏面側の部分に連続する図形や文字を印刷しておく。ユーザが、特定の位置を発見することを楽しむことが期待できる。
【符号の説明】
【００３０】
１０  卓上カレンダー、１２  用紙、１４  折り曲げ部、１６  差し込み片、１８  表示領域、２０  折り曲げ線、２２  スリット、２４  クーポン券、２６，２８  ミシン目。
【図１】
0003158674.tif 000003
【図２】
0003158674.tif 000004
【図３】
0003158674.tif 000005
【図４】
0003158674.tif 000006
【手続補正書】
【提出日】平成22年2月9日(2010.2.9)
【手続補正１】
【補正対象書類名】明細書
【補正対象項目名】００２１
【補正方法】変更
【補正の内容】
【００２１】
カレンダーは、３ヶ月分としたが、１ヶ月分や半年分などでもよい。３ヶ月分であれば、３ヶ月に１回配ることも考えられるが、１ヶ月分ずつずらしたものを毎月配ったり、２ヶ月に１回配ることも好適である。注文の際は、メニューを見て電話を掛ける場合が多いと考えられ、注文用の電話番号なども裏面に記載しておくことも好適である。また、二次元バーコード（例えば、ＱＲコード（登録商標））などを印刷し、これを携帯電話などで読み取り、特定のサイトへアクセスすることで、電子的なクーポン券を得られるようにしてもよい。さらに、二次元バーコードにより、インターネットを介しての商品の注文サイトや、近くにある店舗の検索サイト、その他関連情報サイトのウェブアドレスを取得可能とすることも好適である。
【手続補正２】
【補正対象書類名】実用新案登録請求の範囲
【補正対象項目名】全文
【補正方法】変更
【補正の内容】
【実用新案登録請求の範囲】
【請求項１】
長方形の用紙の一横側端の一部に縦方向の隣接部分と切り離して横方向に突出できるように形成された差し込み片と、
前記用紙の反対の横側端近傍に形成され、前記差し込み片が差し込まれるスリットと、
用紙の表面側であって、前記差し込み片と前記スリットの間の領域に印刷されたカレンダーと、
前記用紙の裏面側に印刷された注文メニューと、
前記用紙の前記一横側端の前記差し込み片に縦方向に隣接して設けられたクーポン券と、
を有し、
前記クーポン券を前記差し込み片と切り離し、前記差し込み片を前記スリットに差し込むことで、前記用紙の表面を外側として中空筒型にして卓上に載置して利用可能であるとともに、前記クーポン券を切り離して分離しても利用可能であることを特徴とする卓上カレンダー。
【請求項２】
請求項１に記載の卓上カレンダーであって、
前記差し込み片は、縦方向の中央部分に設けられ、前記クーポン券は、前記差し込み片の上下に設けられていることを特徴とする卓上カレンダー。
【請求項３】
請求項１または２に記載の卓上カレンダーであって、
前記差し込み片と、前記クーポン券の隣接部分には切り離し用のミシン目が形成されていることを特徴とする卓上カレンダー。
【請求項４】
請求項１〜３のいずれか１項に記載の卓上カレンダーであって、
前記クーポン券とその内側の領域の間に、クーポン券切り離し用のミシン目が形成されていることを特徴とする卓上カレンダー。